(57)【要約】  【課題】  本考案の目的は、胴３の中から発光したり、スポットライトの照射に応じて光を反射する和太鼓、桶太鼓及び締太鼓１として、新たな視覚的効果を得ることねらった太鼓の演奏を可能とすることにある。  また本考案は、下地処理、下地の色付、漆塗りなどの仕上げ塗装を不要として、製作に手間のかからない和太鼓、桶太鼓及び締太鼓１を提供することにある。  【解決手段】  胴３を透明とした和太鼓、桶太鼓及び締太鼓１とする。また、合成樹脂やアクリルやポリカーボネイトからなる胴３としたことを特徴とする和太鼓、桶太鼓及び締太鼓等１とする。  そして、胴３の内面に蛍光塗料や発光塗料を塗ったり、胴３の中に蛍光塗料や発光塗料を塗ったものや、蛍光灯や発光灯などを仕込んで、薄暗い舞台で演奏しあるいはスポットライトを当てて新たな視覚的効果を得る。【選択図】            図１
0003104674.tif 000002
【実用新案登録請求の範囲】
【請求項１】
皮と胴とを有する和太鼓において、前記胴が透明であることを特徴とする和太鼓。
【請求項２】
皮と胴と、調べの緒（以下単に「調」という。）又は締結金具のいずれかを有する桶太鼓又は締太鼓において、前記胴が透明であることを特徴とする桶太鼓又は締太鼓。
【請求項３】
請求項１に記載した和太鼓において、胴が合成樹脂であることを特徴とする和太鼓。
【請求項４】
請求項１に記載した和太鼓において、胴の材質がアクリル又はポリカーボネイトであることを特徴とする和太鼓。
【請求項５】
請求項２に記載した桶太鼓又は締太鼓において、胴が合成樹脂であることを特徴とする
桶太鼓又は締太鼓。
【請求項６】
請求項２に記載した桶太鼓又は締太鼓において、胴の材質がアクリル又はポリカーボネイトであることを特徴とする、桶太鼓又は締太鼓。
【考案の詳細な説明】
【技術分野】
【０００１】
本考案は、和太鼓及び和太鼓に属する太鼓であって桶太鼓又は締太鼓と呼ばれる太鼓に関わり、演奏する舞台において新たな視覚的効果を得る演出を可能とした和太鼓、桶太鼓、締太鼓に関する。
【背景技術】
【０００２】
和太鼓は胴に皮を張った打楽器であってその中には、胴の両側に皮を張り、皮を胴に対して鋲を打って止めるタイプの和太鼓がある。また、胴の両端を皮と呼ばれる部品で挟み、両方の皮に設けた穴に調べの緒（以下単に「調」という。）と呼ばれる紐を交互に通して連結したタイプ、又は、両方の皮に設けた穴を締結金具を使用して連結したタイプであって、桶太鼓又は締太鼓と呼ばれる和太鼓がある。
桶太鼓や締太鼓の皮は、馬や牛などの皮材を補強材の輪に張った構成を有している。これらの太鼓の内、胴が桶でできているものを桶太鼓、胴が木をくり抜いたものでできているものを締太鼓と呼んでいる。
桶太鼓や締太鼓の調としては麻の紐が使われることが多いが、クレモナ、ビニロンなど化学繊維の紐も使用されている。そして、桶太鼓や締太鼓においては調の締め方を調整して音調を整えている。
従来の和太鼓の胴は木でできているため下地処理、下地の色付さらには漆塗りなどの仕上げ塗装が必要で、塗装の手間がかかる問題を有していた。
和太鼓を演奏する場合には、和太鼓を台に乗せて演奏者がばちで打つ演奏と、演者が和太鼓を担いだり、腹の前に取り付けたりして、舞を舞いながらあるいは移動しながら、和太鼓をばちで打つ演奏などが行われている。
しかし、以上のような和太鼓の演奏は長年行われていて、マンネリ化を避けるため新たな視覚的効果を得る演出の試みが模索され始めている。
【考案の開示】
【考案が解決しようとする課題】
【０００３】
本考案は、新たな視覚的効果をねらった太鼓の演奏を可能とした和太鼓、桶太鼓、締太鼓を提供することを目的としている。
特に、和太鼓の胴の内面に蛍光塗料や発光塗料を塗ったり、和太鼓の中に蛍光塗料や発光塗料を塗った紙や風船などを仕込んだり、蛍光灯や発光灯などを和太鼓の中に仕込んでおいて、例えば、うす暗い舞台で和太鼓を身につけて踊りながら演奏して、光を発する効果を得ることを可能とした、和太鼓を提供することを目的にしている。
さらに、和太鼓の胴の内面に蛍光塗料や発光塗料を塗ったり、和太鼓の中に複数の色彩の蛍光塗料や発光塗料を塗ったものを仕込んでおいて、例えば、和太鼓を台の上に固定して演奏しているところにスポットライトを当て、照射するスポットライトの種類を替えることにより、和太鼓の中から反射する光を変化させる効果を得ることを可能とした、和太鼓を提供することを目的としている。
また本考案は、従来の和太鼓が有する、下地処理、下地の色付及び漆塗りなどの仕上げ塗装が必要であって、塗装に手間がかかる問題をなくすことにある。
【課題を解決するための手段】
【０００４】
本考案は、胴を透明としたことを特徴とする和太鼓、桶太鼓及び締太鼓とする。また、合成樹脂からなる胴としたことを特徴とする和太鼓、桶太鼓及び締太鼓とする。さらに、アクリル又はポリカーボネイトからなる胴としたことを特徴とする和太鼓、桶太鼓、締太鼓とする。
【考案の効果】
【０００５】
本考案は、上記のように胴を透明にしたので、和太鼓の胴の内面に蛍光塗料や発光塗料を塗ったり、和太鼓の中に蛍光塗料や発光塗料を塗ったものを仕込んでおいたり、蛍光灯や発光灯などを仕込んでおいて、薄暗い舞台で演奏すると、和太鼓の胴の中から光を発し幻想的な舞台演奏を行うことが可能となった。
また、和太鼓の胴の内面に蛍光塗料や発光塗料を塗ったり、和太鼓の中に蛍光塗料や発光塗料を塗ったものを仕込んでおいて、薄暗い舞台で演奏しているときに、スポットライトを当て、照射するスポットライトを変化させると、和太鼓の胴の中から反射する光が変化して、新たな視覚的効果を得ることができた。
また本考案は、合成樹脂、アクリル又はポリカーボネイトからなる胴としたため、従来の和太鼓が有する、下地処理、下地の色付、漆塗りなどの塗装が必要であって、塗装に手間がかかる問題をなくすことができた。
【考案を実施するための最良の形態】
【０００６】
請求項１の考案は、皮と胴とを有する和太鼓において、前記胴が透明であることを特徴とする和太鼓とする。
胴を透明にした和太鼓とすることにより、胴の内面に蛍光塗料や発光塗料を塗ったり、和太鼓の中に蛍光塗料や発光塗料を塗ったものを仕込んだり、蛍光灯や発光灯などを仕込んでおいて、和太鼓の胴の中から光を発する効果を得ることができるからである。
また、和太鼓の胴の内面に蛍光塗料や発光塗料を塗ったり、和太鼓の中に蛍光塗料や発光塗料を塗ったものを仕込んでおいて、スポットライトを当てて和太鼓の胴の中から反射する光による視覚的効果を得ることができるからである。
請求項２の考案は、皮と胴と調とを有する桶太鼓又は締太鼓において、前記胴が透明であることを特徴とする桶太鼓又は締太鼓とする。
桶太鼓や締太鼓は、調を解いたり締結金具を弛めて、皮を取り外すことが容易な構造であるため、胴の中に蛍光塗料や発光塗料を塗ったものを仕込んだり、蛍光灯や発光灯などを仕込むことが容易であり、本考案の効果をより多く得ることが可能である。
請求項３の考案は、請求項１に記載した和太鼓において、胴が合成樹脂であることを特徴とする和太鼓とする。
透明な合成樹脂を使用することにより、比較的容易に本考案を実施することが可能だからである。  
【０００７】
請求項４の考案は、請求項１に記載した和太鼓において、胴の材質がアクリル又はポリカーボネイトであることを特徴とする和太鼓とする。
これらの材質とすると音も良く製造も容易だからである。比較的小さなサイズの和太鼓の場合は、透明なアクリル又はポリカーボネイトの円筒材を輪切りにして円筒形状の胴を得ることができる。
いっぽう、比較的大きなサイズの和太鼓の場合は、透明なアクリル又はポリカーボネイトの板に熱を加え、金型で圧縮してに半円弧断面を有する部材とし、前記半円弧断面を有する２個の部材を接合して円筒形状の胴を得ることができる。
請求項５の考案は、請求項２に記載した桶太鼓又は締太鼓において、胴が合成樹脂であることを特徴とする桶太鼓又は締太鼓とする。
透明な合成樹脂を使用することにより、比較的容易に本考案を実施することが可能だからである。  
請求項６の考案は、請求項２に記載した桶太鼓又は締太鼓において、胴の材質がアクリル又はポリカーボネイトであることを特徴とする、桶太鼓又は締太鼓とする。
これらの材質とすると音も良く製造も容易だからである。比較的小さなサイズの締太鼓の場合は、透明なアクリル又はポリカーボネイトの円筒材を輪切りにして円筒形状の胴を得ることができる。
いっぽう、比較的大きなサイズの桶太鼓の場合は、透明なアクリル又はポリカーボネイとの板に熱を加え、金型で圧縮してに半円弧断面を有する部材とし、前記半円弧断面を有する２個の部材を接合して円筒形状の胴を得ることができる。
【実施例１】
【０００８】
以下本考案の実施例１を図１に示し説明する。実施例１の締太鼓１は、皮２と胴３と調４で構成した。
皮２は、馬の皮材２ａを補強材の鉄輪２ｂに張り、鉄輪２ｂの内側に複数の穴２ｃを設けた構成とした。胴３は、透明なアクリル製の円筒形状有するものとした。また、調４は麻の紐とした。
そして、胴３を２個の皮２で挟み、２個の皮２に明けた穴２ｃに調４を交互に通して連結して締太鼓１を構成した。
本考案に係る締太鼓１は、調４を解けば皮を取り外すことが容易である。このため、蛍光塗料や発光塗料を胴３の内面に塗ったり、蛍光塗料や発光塗料を塗った紙などを円筒形に折り曲げて胴３の中に仕込んだり、蛍光灯や発光灯などを仕込むことは容易である。
【産業上の利用可能性】
【０００９】
本発明にかかる和太鼓、桶太鼓及び締太鼓は、和太鼓、桶太鼓及び締太鼓を製造販売する産業や、和太鼓、桶太鼓及び締太鼓を演奏するサービスを提供する産業に利用される。
【図面の簡単な説明】
【００１０】
【図１】締太鼓の一部断面図である。
【符号の説明】
【００１１】
１  ：締太鼓                ２  ：皮                  ２ａ：皮材
２ｂ：鉄輪                  ２ｃ：穴                  ３  ：胴
４  ：調
【図１】
0003104674.tif 000003